(57)【特許請求の範囲】
【請求項１】
密閉部材であって、
容器の開口に取り付けられ前記容器を封止する封止部と、
それぞれ前記封止部の下側縁から延びるヒンジに結合し、内側に突起し、前記容器に形成された係止縁に固定される、複数の係止突起と、
リング状で、前記封止部に対して垂直に動くように前記封止部の外側に取り付けられるカバー部と、
前記カバー部の内側円周面から突き出て前記係止突起を支持する複数の固定突起と、
さらに、前記係止突起の上端から上方向に突き出たレバー突起を有する密閉部材。
【請求項２】
請求項１において、
前記係止突起は、前記係止縁に対面する凹曲面を有する密閉部材。  
【請求項３】
密閉部材であって、
容器の開口に取り付けられ前記容器を封止する封止部と、
それぞれ前記封止部の下側縁から延びるヒンジに結合し、内側に突起し、前記容器に形成された係止縁に固定される、複数の係止突起と、
リング状で、前記封止部に対して垂直に動くように前記封止部の外側に取り付けられるカバー部と、
前記カバー部の内側円周面から突き出て前記係止突起を支持する複数の固定突起を有し、
さらに、前記カバー部の外周面の下端に、外側に突き出た把持突起を有する密閉部材。
【請求項４】
請求項１において、
前記係止突起は、その下端に溝を有し、前記固定突起を支持する密閉部材。
【請求項５】
請求項１において、
前記係止突起はその下端に、前記固定突起を支持する傾斜面を有し、前記傾斜面は垂直方向に対して傾斜している密閉部材。
【請求項６】
密閉部材であって、
容器の開口に取り付けられ前記容器を封止する封止部と、
それぞれ前記封止部の下側縁から延びるヒンジに結合し、内側に突起し、前記容器に形成された係止縁に固定される、複数の係止突起と、
リング状で、前記封止部に対して垂直に動くように前記封止部の外側に取り付けられるカバー部と、
前記カバー部の内側円周面から突き出て前記係止突起を支持する複数の固定突起を有し、
少なくとも２本の案内バーが、更に前記封止部の下端縁に垂直に下方向に固定され、前記案内バーの下端が前記カバー部の内周面に接触される密閉部材。
【請求項７】
密閉部材であって、
容器の開口に取り付けられ前記容器を封止する封止部と、
それぞれ前記封止部の下側縁から延びるヒンジに結合し、内側に突起し、前記容器に形成された係止縁に固定される、複数の係止突起と、
リング状で、前記封止部に対して垂直に動くように前記封止部の外側に取り付けられるカバー部と、
前記カバー部の内側円周面から突き出て前記係止突起を支持する複数の固定突起と、
さらに、前記カバー部の上端と前記封止部の下端に結合する複数の結合バンドを有する密閉部材。
【請求項８】
容器であって、
容器本体の開口の外周面から突き出た係止縁を有する容器本体と、
前記開口に結合して前記容器を封止する密閉部材を有し、
前記密閉部材は、
前記容器の開口に取り付けられ前記容器本体を封止する封止部と、
それぞれ前記封止部の下側縁から延びるヒンジに結合し、内側に突起し、前記容器に形成された係止縁に固定される、複数の係止突起と、
リング状で、前記封止部に対して垂直に動くように前記封止部の外側に取り付けられるカバー部と、
前記カバー部の内側円周面から突き出て前記係止突起を支持する複数の固定突起と、
さらに、前記係止突起の上端から上方向に突き出たレバー突起を有する容器。
【発明の詳細な説明】
【技術分野】
【０００１】
本発明は、密閉部材と、それを有する容器に関し、特に、水、飲料等の液体を入れる容器に使用され、ワンタッチで開閉して簡便に使用され、良好な気密性を確保する密閉部材と、これを有する容器に関する。
【背景技術】
【０００２】
飲料、粉体、あるいは他の内容物を入れる容器は、容器の用途あるいは、容器に入れられる内容物に依存する種々の機能を有することが要求される密閉部材を一般的に備える。
【０００３】
例えば、炭酸飲料の容器は、周囲圧に対して内部圧を維持しなくてはならないので、流通の過程で密閉部材の気密性を維持することが重要である。
【０００４】
比較的に大きな容量を持つ容器の場合、容器が開封された後、容器内に残された内容物が劣化しないように、都合よく再封止できる密閉部材を有することが望ましい。
【０００５】
他の例として、一般的な飲み物の容器にしばしば使用されるスクリュートップは、回転しなければならないという不便さを有する。特に、多くの子供達は、スクリュートップを回転して容器を開閉することに未経験であり、スクリュートップを用いることに不便さを感じる。
【０００６】
スクリュートップは、内容物が漏れないように強く閉めなければならない。しかし、この場合、閉められたスクリュートップを再度開けることは容易ではない。反対に、スクリュートップが、容易に再度開けられるようにしっかりと閉められていない場合は、容器の内容物が漏れてくる。
【０００７】
上記の問題を解決する為に、本願発明の発明者は、韓国特許10-575259（April 24, 2006発行）、韓国特許10-757795（September 5, 2007発行）及び実用新案登録20-385497 (May 21, 2005発行)において開示した様に、簡便な使用を可能にする密閉構造を提案している。上記文献に開示した密閉部材は、ワンタッチで開閉が可能で、スクリュートップに較べ、より簡便に使用可能である。
【先行技術文献】
【特許文献】
【０００８】
【特許文献１】韓国登録特許第１０−５７５２５９号公報
【特許文献２】韓国登録特許第１０−７５７７９５号公報
【特許文献３】韓国実用新案第２０−３８５４９７号公報
【発明の概要】
【発明が解決しようとする課題】
【０００９】
したがって、本願発明は、従来の密閉構造の改良を意図するものである。そのために、本願発明は、所定の圧力の下で容器に内容物が入れられる場合であっても、充分な気密性を確保するとともに、簡便に使用ができる密閉部材とそれを有する容器を提供することに向けられている。
【課題を解決するための手段】
【００１０】
本発明の一側面において、容器の開口に取り付けられ前記容器を封止する封止部と、それぞれ前記封止部の下側縁から延びるヒンジに結合し、内側に突起し、前記容器に形成された係止縁に固定される、複数の係止突起と、リング状で、前記封止部に対して垂直に動くように前記封止部の外側に取り付けられるカバー部と、前記カバー部の内側円周面から突き出て前記係止突起を支持する複数の固定突起を有する密閉部材が提供される。
【００１１】
本発明の他の側面において、容器本体の開口の外周面から突き出た係止縁を有する容器本体と、前記開口に結合して前記容器を封止する密閉部材を有し、前記密閉部材は、前記容器の開口に取り付けられ前記容器本体を封止する封止部と、それぞれ前記封止部の下側縁から延びるヒンジに結合し、内側に突起し、前記容器に形成された係止縁に固定される、複数の係止突起と、リング状で、前記封止部に対して垂直に動くように前記封止部の外側に取り付けられるカバー部と、前記カバー部の内側円周面から突き出て前記係止突起を支持する複数の固定突起を有する容器が提供される。
【発明の効果】
【００１２】
本発明に従う密閉部材あるいはそれを有する容器が使用されると、封止部分とカバー部分の相対的な上下方向への動きによってワンタッチで密閉部材の開閉が可能で、それにより簡便な操作と良好な気密性を確実にする。
【図面の簡単な説明】
【００１３】
【図１】図１は、本発明に従う密閉部材の全体を示す斜視図である。
【図２】図２は、本発明に従う密閉部材の平面図である。
【図３】図３は、図２のA−A線に沿う断面図である。
【図４】図４は、図２のＢ−Ｂ線に沿う断面図である
【図５】図５は、本発明に従う密閉部材の開封処理を示す断面図である。
【図６】図６は、本発明に従う密閉部材の開封処理を示す断面図である。
【図７】図７は、本発明に従う密閉部材に用いる係止突起の変形例を示す図である。
【図８】図８は、本発明に従う密閉部材に用いる係止突起の変形例を示す図である。
【図９】図９は、本発明に従う密閉部材に用いる係止突起の変形例を示す図である。
【図１０】図１０は、本発明に従う密閉部材に用いる係止突起の変形例を示す図である。
【図１１】図１１は、本発明に従う密閉部材の他の実施例を示す図である。
【図１２】図１２は、本発明に従う密閉部材の他の実施例を示す図である。
【図１３】図１３は、本発明に従う密閉部材の他の実施例を示す図である。
【図１４】図１４は、本発明に従う密閉部材の更に他の実施例を示す図である。
【図１５】図１５は、本発明に従う密閉部材の更に他の実施例を示す図である。
【図１６】図１６は、本発明に従う密閉部材の更に他の実施例を示す図である。
【図１７】図１７は、本発明に従う密閉部材のより他の実施例を示す図である。
【発明を実施するための形態】
【００１４】
以降に、本発明の実施例を添付の図面を参照して説明する。
【００１５】
図１を参照すると、本発明に従う密閉部材は、射出成形により全体が樹脂材料で形成される。密閉部材は、気密封止用の容器の開口部を囲んで取り付けられた封止部１１０と、前記封止部１１０に対して縦方向に可動な封止部１１０の外側に取り付けたカバー部１２０を有する。
【００１６】
封止部１１０の下端は、薄い帯状に形成された結合バンド１３０によりカバー部１２０の上端に結合され、結合バンドは折り曲げられる様な薄さである。
【００１７】
封止部１１０は、回転対称に形成された係止突起１１２を有し、これにより係止突起１１２が容器に形成された係止縁に固定される。係止突起１１２の数は、容器の大きさ、気密度等を考慮して決められる。
【００１８】
それぞれの係止突起１１２は、封止部１１０の下部縁から延びているヒンジ１１１に結合し、内部に突き出るように形成される。  
【００１９】
ヒンジ１１１は、係止突起１１２に比較してより薄く、各係止突起１１２は、回転軸として作用する対応のヒンジ１１１の周りを回転できる。
【００２０】
それぞれの係止突起１１２は、係止突起の下端に内側に凹んだ溝１１２ａを有し、カバー部１２０の内側に形成された固定突起１２１が、溝１１２ａにより支持される。
【００２１】
カバー部１２０は、カバー部１２０の外周面の下端で外側で突き出た把持突起１２２を有し、ユーザが容器の開閉操作をする際に、カバー部１２０を容易に掴むことができる。好ましくは、二つの把持突起が互いに対向して位置づけられる。
【００２２】
例えば、図１は、本発明に従う容器の全体構成を示すために、カバー部から封止部を引き抜いた状態を示す。封止部がカバー部に挿入されている際に、密閉部材の開閉操作が可能であり、他の図面を参照して詳細に説明する。
【００２３】
図２を参照すると、封止部１１０の下端に備えられた係止突起１１２は、容器に形成された係止縁に固定され、それぞれの係止突起１１２が好ましくは容器の係止縁に対向する凹曲面１１２ｂを有する。それにより、係止突起１１２が係止縁に固定又は開放される時に、係止突起１１２が容易に弾性的に変形される。
【００２４】
図３は、密閉部材が閉じた状態になる様に容器に密閉部材が取り付けられた状態を示す。封止部１１０の下端の係止突起１１２が容器２００の係止縁２１０に固定され、容器が気密状態に保たれる。このとき、封止部１１０の上端はカバー部１２０の上端と一致し、封止部１１０の上端がカバー部１２０の上端とぴったり重なる。
【００２５】
封止部１１０の外側に位置するカバー部１２０のそれぞれの固定突起１２１は、全ての係止突起１１２が、外側に広がらず、容器２００の係止縁２１０に確実に固定される様に、対応する係止突起１１２の下端の対応する溝１１２に位置する。
【００２６】
それぞれの係止突起１１２の下部内面は傾斜面１１２ｃを有し、密閉部材を取り付けを可能とするとともに、傾斜面１１２ｃにより各係止突起１１２が容器の係止縁２１０に固定されるのを防ぐ。
【００２７】
リブ１１３が封止部１１０の下部面に付加的に形成され、リブ１１３が容器の開口部に挿入され、気密状態を高めることができる。
【００２８】
カバー部１２０は、封止部１１０の外側にピッタリと取り付けられ、カバー部１２０が封止部１１０に対して上下に動く様にされる。そして、封止部１１０とカバー部１２０の間の上下方向の操作により密閉部材を開閉できるようにしている。
【００２９】
カバー部１２０と封止部１１０との間の隙間は、カバー部１２０と封止部１１０が容易に互いに上下方向に動ける限り、最小化されている。
【００３０】
図４に示す様に、薄い帯状に形成された結合バンド１３０がカバー部１２０の上端と封止部１１０の下端の間に備えられ、カバー部１２０と封止部１１０が一体化するように相互に結合されている。結合バンドは結合バンド１３０がカバー部と封止部間で相対的な上方向及び下方向の動きを妨げることなく折り曲げられる。
【００３１】
以下、上記の構成の本発明に従う密閉部材の簡単な使用を説明する。
【００３２】
図５に示す様に、密閉部材１００が容器２００に取り付けられているときに、ユーザが、把持突起１２２を把持し、カバー部１２０を上方向に動かし、上方から封止部１１０を押すと、対応する係止突起１１２を支持する固定突起１２１が、カバー部１２０が上方向に動くので、カバー部１２０とともに上方向に動かされる。このとき、固定突起１２１が対応する係止突起１１２上を動くので、容器２００の係止縁２１０の固定されている係止突起１１２が、軸として作用するヒンジ１１１に対して外方向に広げられ、密閉部材１００を開けることができる。
【００３３】
一方、ユーザが、密閉部材を開ける為に封止部１１０を押すことも固定することもなくカバー部１２０のみを引き上げると、カバー部１２０及び封止部１１０は、係止突起１１２が固定突起１２１により支持されている状態で上方向に動かされる。しかし、この時、係止突起１１２は固定突起１２１により支持されているので、係止突起１１２は係止縁２１０から容易に離されない。
【００３４】
この様に、ユーザが、密閉部材を開ける為に封止部１１０を押すことも固定することもなくカバー部１２０のみを引き上げるときは、密閉部材は開けられない。反対に、密閉部材は封止部とカバー部が同時に上記した様に操作される正常な開封操作を通してのみ開けられる。この様に、本発明に従う密閉部材は、上記説明のように密閉部材の正常な開封操作によってのみ開けられる安全な密閉部材として機能する。
【００３５】
次に、図６は、それぞれの固定突起１２１が対応するヒンジ１１１の外側に位置する場合に密閉部材が開けられる状態を示している。この時、封止部１１０の上端はカバー部１２０の上端の下に位置している。
【００３６】
容器上の密閉部材を押すことにより、密閉部材が容器に取り付けられる。このとき、容器の係止縁２１０の上端が、それぞれの係止突起１１２の下端面に対応する傾斜面１１２ｃに接触し、それぞれの係止突起１１２は容器の係止縁２１０上に動き固定される。同時に、カバー部１２０が下方向に動き、それぞれの固定突起１２１が係止突起１１２の対応する溝１１２ａに挿入される。そうして、それぞれの固定突起１２１は、係止突起１１２を支持してそれぞれの係止突起１１２が外側に広がるのを防ぎ、容器が閉められる（図５参照）。
【００３７】
図７は、本発明に従う密閉部材に使用される係止突起の変形例を示す図である。
【００３８】
図７は、図３に示す係止突起の一部分を示す拡大図である。上記に説明した様に、密閉部材を開くためにユーザがカバー部を上方向に動かし、同時に封止部を押すと、密閉部材が開けられる。
【００３９】
この開封処理において、係止突起１１２を支持する固定突起１２１が、係止突起１１２の溝部１１２ａから上方向に動き、固定突起１２１が溝部１１２から外れる。この開封処理の間、固定突起１２１と係止突起１１２が圧縮され、弾性的に変形される。
【００４０】
したがって、密閉部材を開ける為に、固定突起１２１が係止突起１１２の溝部１１２ａから完全に離れる程の変位ｄ１において、大きな操作力が要求される。
【００４１】
図８は、図７に示される様に係止突起を有する密閉部が開いている時のカバー部と封止部間における操作力Ｆと垂直方向変位の関係を示すグラフである。ここでは、ユーザは、密閉部材を開けるための縦方向変位ｄ１まで、大きな操作力が必要であることを示している。
【００４２】
上述した様に、密閉部材を開く為の操作力は、固定突起の大きさ（突起の程度）と係止突起の溝の深さ等に依存して決められる。従って、操作力は、密閉部材の用途に従って選択される。例えば、容器の内容物が、炭酸飲料の様な大きな内部圧を有する場合、密閉部材は、容易に開かないように好ましく設計される。この場合、固定突起の大きさ及び係止突起の溝の深さ等は、大きな操作力を有する様に選択される。さもなければ、密閉部材における固定突起の数及び係止突起の数を増加しても良い。
【００４３】
図９は、本発明に従う密閉部材に用いられる係止突起の一変形例を示す。本発明の密閉部材において、係止突起１１２は、係止突起１１２の下端で垂直方向に対して傾いた傾斜面１１２ｄを有し、固定突起１２１が前記傾斜面１１２ｄにより支持される。
【００４４】
図１０は、図９に示される様に係止突起を有する密閉部が開いている時のカバー部と封止部間における操作力Ｆと垂直方向変位ｄの関係を示すグラフである。ここで、開封処理の間、係止突起１１２の傾斜面に沿って、固定突起１２１が動くので、図７の実施例と比較すると、ユーザは、傾斜面の境界線に対応する垂直位置変位ｄ１まで比較的小さな操作力Ｆ２で、密閉部材を開けることができる。
【００４５】
上記した様に、密閉部材を開く為の操作力の大きさは、係止突起の形状に依存して変えられる。したがって、操作力は密閉部材の用途によって選択される。
【００４６】
例えば、密閉部材の容易な開閉のみが容器にとって重要と考えられる場合は、容器は、図９の変形例で示した様に比較的小さな操作力で容易に開閉される様に設計される。しかし、容器が薬品や化学物を収容する場合は、子供が容易に開けられないように、あるいは炭酸飲料等の比較的に大きな内部圧力を有する内容物である場合は、密閉部材は図７に示す変形例のように大きな操作力を有する様に設計される。
【００４７】
図７及び図９を参照して、密閉部材を開くための操作力の大きさが係止突起の形状の変更により変わることを示した。しかし、追加的あるいは、代替的に、密閉部材を開くのに要する操作力は、固定突起の大きさ及び又は形状を変えることにより、種々の方法をとり得ることは当業者により自明である。
【００４８】
さて、図１１乃至図１３は、本発明に従う他の実施例を示している。本発明に従う密閉部材１００において、係止突起１１２の上端から上方向に突き出るレバー突起１１４を追加的に備えることもできる。
【００４９】
図１１に示す様に、二つのレバー突起１１４がヒンジ１１１に隣接する係止突起１１２の両サイドの上端部から上方向に突き出ている。
【００５０】
密閉部材が開けられた後、開けられた密閉部材を容器に再び取り付ける過程で、それぞれのレバー突起１１４が係止突起と容器の係止縁との干渉を防ぐことができる。それにより、密閉部材は何ら不都合なしに、容器に容易に再び取り付けできる。
【００５１】
例えば、図６は、密閉部材が開けられた後、係止突起１１２が内側に折り曲げられないことを示している。係止突起１１２が内側に折り曲げられると、開けられた密閉部材を再取り付けする処理の過程で、係止突起１１２は容器の係止縁２１０により固定され、そうして密閉部材は閉じられなくなる。
【００５２】
このように、密閉部材が開けられた後、レバー突起１１４が係止突起１１２を永久に外方向に広げ、容器に密閉部材を再び取り付ける過程で、レバー突起１１４が係止突起と容器の係止縁間の干渉を防ぐことができる。これにより、密閉部材が容器に誤って取り付けられることを防ぐことができる。
【００５３】
より具体的に、図１２は、上記に説明したと同じ処理により密閉部材を開けた後、固定突起１２１がヒンジの近傍に位置し、固定突起１２１がレバー突起１１４が内側方向に押され、ヒンジ１１１に結合した係止突起１１２が外方向に広がるのを許容することを示している。
【００５４】
上記した様に密閉部材が開けられた後、係止突起が永久に外方向に広げられるので、容器の係止縁２１０は、開けられた密閉部材の再取り付けの過程で、係止突起１１２の下端で傾斜面１１２ｃと常に接触する。それにより、密閉部材は、容易に容器に取り付けられる。
【００５５】
図１３は、本発明に従う密閉部材において使用されるレバー突起の変型例であり、一つのレバー突起３１４が２つのヒンジ３１１により結合する係止突起３１２の中心近傍に上方に突き出ることができる。
【００５６】
固定突起が挿入される溝３１２ａはレバー突起３１４が位置する係止突起３１２の下端近傍に形成される。密閉部材の開閉処理は、上記した実施例と同様である。
【００５７】
図１４乃至図１６は、本発明に従う密閉部材の更に他の実施例を示す。
【００５８】
図１４に示す様に、本発明に従う密閉部材において、少なくとも２本の案内バー１４０が垂直下方向に封止部１１０の下部リムに追加的に固定される。それにより案内バー１４０の下端がカバー部１２０の内周面に接触される。
【００５９】
参考として、図１４は、図１に示したように射出成型により製造される密閉部材の開口を示している。密閉部材の射出成型された初めの状態において、封止部１１０は上部に位置する。しかし、封止部１１０が、上記した様に密閉部材が容器に結合され、閉じられると、封止部１１０の上端は、カバー部１２０の上端にぴったり重なる（図３参照）。
【００６０】
図１４に示す様に、射出成型により製造された密閉部材において、封止部及びカバー部は薄い結合バンドのみにより相互に結合されている。このように、封止部とカバー部を支持する為に追加的な補助手段を有しない場合、薄い結合バンドが弱いために、結合バンドは、射出成型で製造された密閉部材が容器に取り付けられるまでの密閉部材の取り扱いあるいは運搬処理を通して容易に裂けたり、傷付けられる。
【００６１】
したがって、本発明に従う密閉部材に備えられる案内バーは、上記のように製造された密閉部材が容器に取り付けられるまでの密閉部材の取り扱い中に結合バンドが傷つけられるのを防止する。そして、容器に密閉部材が取り付けられた後、封止部とカバー部間の相対的な上下方向の動きをガイドする。
【００６２】
図１５を参照すると、射出成型により、封止部１１０に固定された案内バー１４０の上端１４０ａは、上端１４０ａが封止部１１０にしっかりと固定される様に厚く、カバー部１２０の上端の内円周面に固定された案内バー１４０の下端１４０ｂは下端１４０ｂが上端１４０ａと較べてカバー部１２０の上端部に弱く固定される様に薄い。
【００６３】
一方、射出成型された密閉部材を容器に初めて取り付ける処理において、強く下方向に押され、封止部１１０が容器の開口に予備的に取り付けられると、封止部１１０が下方向に動かされ、容器に取り付けられ、案内バー１４０の下端１４０ｂとカバー部１２０の間の結合が壊される。
【００６４】
図１６に示す様に、密閉部材が容器に取り付けられた後、案内バー１４０は封止部１１０とともに垂直方向に動かされる。案内バー１４０がカバー部１２０の内面壁に沿って動かされるので、案内バー１４０は封止部とカバー部との間に隙間を形成する。それにより案内バー１４０は封止部とカバー部の上下方向の動きを容易にする案内機能を果たす。
【００６５】
図１７は、本発明に従う密閉部材の更なる実施例を示す。先の実施例は、封止部とカバー部が結合バンドで互いに結合されていることを示しているが、封止部とカバー部はこの実施例では結合バンドで結合されていることを必要としない。
【００６６】
封止部４１０とカバー部４２０が別個のプロセスにより製造され、図１７に示す様に密閉部材として一体に組み立てられるが、密閉部材は先の実施例で述べられたと同じ方法で操作されることは当業者にとって明らかである。
【００６７】
一方、カバー部と結合バンドとの間に弱く結合された補助バンドが付加的に備えられ、あるレベルの操作力を与えることで密閉部材が初めて開けられる時、その補助バンドが切られる。
【００６８】
ユーザは、補助バンドが切られているか否かを判定することで、容器の内容物が既に使用された否かをチェックすることができる。
【００６９】
上記の実施例は、本発明の思想を詳細に示す為の単なる例として理解されるべきであり、従って、本発明の範囲は、図面及び実施例のいずれにも限定されるものではない。
【図１】
0005607151.tif 000002
【図２】
0005607151.tif 000003
【図３】
0005607151.tif 000004
【図４】
0005607151.tif 000005
【図５】
0005607151.tif 000006
【図６】
0005607151.tif 000007
【図７】
0005607151.tif 000008
【図８】
0005607151.tif 000009
【図９】
0005607151.tif 000010
【図１０】
0005607151.tif 000011
【図１１】
0005607151.tif 000012
【図１２】
0005607151.tif 000013
【図１３】
0005607151.tif 000014
【図１４】
0005607151.tif 000015
【図１５】
0005607151.tif 000016
【図１６】
0005607151.tif 000017
【図１７】
0005607151.tif 000018